(57)【特許請求の範囲】
【請求項１】
受信信号に復調用周波数信号を混合して復調信号を得る復調手段と、
該復調手段で復調された信号に含まれる同期信号の検出手段と、
上記復調信号を処理するクロックの発生手段から上記復調用周波数信号を発生するＰＬＬ回路とを備え、
上記クロック発生手段が出力するクロックを上記ＰＬＬ回路に供給して上記復調用周波数信号を発生させるとともに、
上記ＰＬＬ回路での分周比を、上記クロックの周波数変化に連動して変化させることにより、上記復調用周波数信号をほぼ一定の周波数に保つようにした
ことを特徴とする受信装置。
【発明の詳細な説明】
【０００１】
【産業上の利用分野】
本発明は、例えば携帯用無線電話装置に適用して好適な受信装置に関する。
【０００２】
【従来の技術】
従来、無線電話装置は例えば図４に示すように構成されていた。図４において１０は送信回路を示し、この送信回路１０は端子１１に得られるベースバンドの送信データを送信処理回路１２に供給し、この送信処理回路１２で同期データの付加などの送信用の処理を施し、この処理された送信データを変調回路１３に供給する。この変調回路１３では、所定の周波数の変調波により変調し、変調信号を混合器１４に供給する。この混合器１４では、ＰＬＬ回路（フェーズ・ロックド・ループ回路）１から供給される周波数変換用周波数信号を送信用の変調信号に混合して、所定の送信周波数（送信チャンネル）の信号とし、この信号をバンドパスフィルタ１５と送信アンプ１６とアンテナスイッチ２を介してアンテナ３に供給し、アンテナ３から無線送信させる。
【０００３】
また、２０は受信回路を示し、この受信回路２０はアンテナ３で受信した信号を、アンテナスイッチ２とバンドパスフィルタ２１と受信アンプ２２を介して混合器２３に供給する。この混合器２３では、ＰＬＬ回路１から供給される周波数変換用周波数信号を受信信号に混合して、送信周波数（送信チャンネル）に変調された受信信号を中間周波信号に変換する。そして、この中間周波信号を中間周波回路２４を介して復調回路２５に供給し、この復調回路２５でベースバンド信号への復調を行う。そして、このベースバンド信号を受信処理回路２６に供給し、同期データの抽出などの受信処理を行って、端子２７に受信データを得る。
【０００４】
なお、この回路の場合には、送信周波数と受信周波数とが同一周波数で、時分割で送信と受信とを行ういわゆるＴＤＭＡ方式（時分割多元接続方式）の通信システムに適用される送受信回路である。
【０００５】
【発明が解決しようとする課題】
ところで、このように構成される送受信回路は、送信用のベースバンド信号や受信して得たベースバンド信号を処理するクロック及びその高調波が、高周波信号を扱う送信処理系や受信処理系に対して妨害波となることがある。このため、ベースバンド信号を処理する回路に対して厳重なシールドを施して、妨害波が他の回路に到達しないようにしている。
【０００６】
一方、無線電話装置は、携帯用として小型に構成する必要があるが、ベースバンド信号の処理系に厳重なシールドを施すと、それだけ装置の構成が複雑になって、小型化や軽量化を阻む要因になっていた。また、ベースバンド信号を処理するクロックの周波数についても、高度で複雑な音声コーデックなどが要求されているので、クロック周波数が高くなりつつあるが、このようにクロック周波数が高くなると、それだけ妨害波の放射レベルが増加してしまい、より厳重なシールド処理を必要とする。
【０００７】
本発明はかかる点に鑑み、簡単な構成でベースバンド信号などの妨害波の影響を受けずに良好に受信処理できる受信装置を提供することを目的とする。
【０００８】
【課題を解決するための手段】
本発明は、受信信号に復調用周波数信号を混合して復調信号を得る復調手段と、復調手段で復調された信号に含まれる同期信号の検出手段と、復調信号を処理するクロックの発生手段から復調用周波数信号を発生するＰＬＬ回路とを備え、クロック発生手段が出力するクロックをＰＬＬ回路に供給して復調用周波数信号を発生させるとともに、ＰＬＬ回路での分周比を、クロックの周波数変化に連動して変化させることにより、復調用周波数信号をほぼ一定の周波数に保つようにしたものである。
【００１０】
【作用】
本発明によると、ベースバンド信号や受信して得たベースバンド信号を処理するクロック及びその高調波が、受信信号の復調に妨害を与えている場合には、復調信号に含まれる同期信号を検出できなくなるが、クロックの周波数を若干変えて妨害を与えない周波数とすることで、同期信号を検出でき、妨害波の影響なく良好に受信処理できるようになる。
【００１１】
この場合、クロックの周波数を若干変えることで、このクロックから復調用周波数信号を作成している場合には、この復調用周波数信号の周波数も変動するが、ＰＬＬ回路での分周比をクロックの周波数変化に連動して変化させることで、妨害波の影響を除去するためにクロックの周波数を変動させても、復調用周波数信号を一定の周波数に保つことができる。
【００１２】
【実施例】
以下、本発明の一実施例を図１〜図３を参照して説明する。
【００１３】
本例においては、無線電話装置の受信系の復調回路に適用したもので、図１に示すように構成する。図１において、３１は送信チャンネルから周波数変換して中間周波信号とした受信信号が得られる端子を示し、この端子３１に得られる受信信号を混合器３２に供給する。そして、この混合器３２で、ＰＬＬ回路（フェーズ・ロックド・ループ回路）３８から供給される復調用周波数信号を受信信号に混合して、ベースバンド信号に復調する復調処理を行う。
【００１４】
そして、この混合器３２が出力するベースバンド信号を、データ再生回路３３及び同期検出回路３４に供給する。同期検出回路３４は、受信して得たベースバンド信号に含まれる所定のパターンの同期信号を検出する回路で、この検出回路３４で同期信号を検出したとき、この検出タイミングのデータをデータ再生回路３３に供給する。そして、データ再生回路３３では、この同期信号の検出タイミングを基準にしてベースバンド信号に含まれる伝送データを再生する処理を行い、再生された伝送データを受信データ出力端子３５から後段のデータ処理回路（図示せず）に供給する。
【００１５】
また、同期検出回路３４で同期信号を検出できたときには、この受信系の受信動作を制御する中央制御装置（ＣＰＵ）３６に、検出できたことを示すデータを伝送する。
【００１６】
また、図中３７は発振回路を示し、この発振回路３７は、中央制御装置３６の制御に基づいて所定の周波数の発振信号を出力する回路で、作成した発振信号を送受信処理用クロックとして電話装置内の各回路に供給する。
【００１７】
ここで、発振回路３７の回路構成の一例を図２に示すと、本例の場合にはＣＭＯＳ発振回路と称される発振回路で構成され、水晶振動子３９の両端にコンデンサＣ１，Ｃ２等が接続されて、発振信号が取り出される構成とされるが、このコンデンサＣ１を可変容量ダイオードとする。そして、中央制御装置３６側からスイッチＳＷ１と抵抗器Ｒ１を介して、可変容量ダイオードＣ１と水晶振動子３９との間に所定電位のコントロール信号を供給すると共に、所定電圧の電源を抵抗器Ｒ２を介して、可変容量ダイオードＣ１と水晶振動子３９との間に供給する。
【００１８】
このように発振回路３７を構成したことで、スイッチＳＷ１をオフ状態として、中央制御装置３６側からコントロール信号を供給しないときと、スイッチＳＷ２をオン状態として、所定電位のコントロール信号を供給したときでは、取り出される発振信号の周波数が若干異なる。例えば、この発振回路３７から数十〜数百ＭＨｚの発振信号を取り出す場合に、スイッチＳＷ１のオン・オフで５０ｋＨｚ程度だけ周波数を変化させる。
【００１９】
そして、この発振回路３７が出力する発振信号を、クロックとして各回路に供給する。ここで、復調用周波数信号を形成するＰＬＬ回路３６には、位相ループの基準信号として供給する。そして、このＰＬＬ回路３８内の分周器（図示せず）の分周比は、中央制御装置３６から供給される制御データにより決定される。そして、ＰＬＬ回路３６で復調用周波数信号を形成させ、この復調用周波数信号を混合回路３２に供給して、受信信号である中間周波信号に混合し、ベースバンド信号に復調する。
【００２０】
この場合、本例においては発振回路３７内のスイッチＳＷ１の制御で、発振回路３７が出力する発振信号の周波数を変化させたとき、中央制御装置３６からＰＬＬ回路３８に供給する制御データで分周比を若干変化させて、このＰＬＬ回路３６で形成される復調用周波数信号の周波数をほぼ一定に保つようにしてある。
【００２１】
次に、本例の復調回路にて受信を行う場合の処理を、図３のフローチャートを参照して説明する。まず、本例の復調回路では復調して得たベースバンド信号の同期信号検出処理を、同期検出回路３４で行う（ステップ１０１）。このときには、発振回路３７内のスイッチＳＷ１をオフ状態としておく。そして、この同期検出回路３４での同期検出処理を開始すると同時に、中央制御装置３６内のタイマ回路を起動させる（ステップ１０２）。
【００２２】
そして、この状態で同期検出回路３４で所定のパターンの同期信号を検出できたか否か判断する（ステップ１０３）。ここで、同期信号が検出できたときには、発振回路３７が出力するクロックが、受信処理に妨害を及ぼすことなく、正確に受信処理できたと判断して、このままの受信状態を維持させる（ステップ１０４）。
【００２３】
そして、ステップ１０３で同期信号を検出できないときには、ステップ１０２でタイマを起動させてから所定時間（例えば数秒）経過したか否か判断する（ステップ１０５）。そして、所定時間が経過するまでは、ステップ１０３での同期信号の検出が出来たか否かの判断を繰り返し行う。そして、ステップ１０５で所定時間が経過したと判断したときには、スイッチＳＷ１をオン状態として、コントロール信号を中央制御装置３６から発振回路３７に供給し、発振回路３７が出力する発振信号（クロック）の周波数を若干変化させる（ステップ１０６）。そして、この発振信号の周波数を変化させた状態で、ステップ１０３に戻って同期信号の検出が出来たか否かの判断を行う。
【００２４】
ここで、発振信号の周波数を変化させたことで、この発振信号が受信処理に与えていた妨害が回避された場合には、同期信号が検出できるようになり、ステップ１０４に移って、このままの受信状態を維持させる。
【００２５】
このように本例の受信回路によると、受信信号処理に使用するクロック或いはその高調波が、受信処理に妨害を与えている場合には、クロックの周波数が若干変化して、妨害波の影響を回避するように作動し、良好に受信できるようになる。従って、受信処理（特にベースバンド信号処理）に必要とするクロックを必要とする回路の周辺を、厳重にシールドしなくても、妨害波の影響を回避することができ、受信装置（或いは送受信装置）の構成をそれだけ簡単にすることができる。
【００２６】
なお、妨害波の影響を除去するために、クロックの周波数を変化させると、ベースバンド信号処理を行う際に、その処理状態が若干変化するが、例えば数十〜数百ＭＨｚのクロックに対して５０ＫＨｚ程度の若干の周波数変化は、各回路で誤差として許容できる範囲であり、処理状態に悪影響を及ぼすことはない。
【００２７】
但し、ＰＬＬ回路３８では、クロックを基準として復調用周波数を得るようにしてあり、クロック周波数が変動すると、それだけ復調用周波数が変動して、正確な復調ができなくなる恐れがあるが、本例の場合には、ＰＬＬ回路内の分周器の分周比を、クロック周波数の変動に連動して変化させて、復調用周波数信号がほぼ一定の周波数となるようにしたので、クロック周波数を若干変動させても、正確に受信処理ができる。
【００２８】
なお、上述実施例では受信して得た中間周波信号をベースバンド信号に復調する復調回路での復調用周波数信号を生成するＰＬＬ回路の分周比を、クロック周波数に応じて変化させるようにしたが、受信周波数（受信チャンネル）選択用の復調用周波数信号を生成するＰＬＬ回路（図４のＰＬＬ回路１に相当）の分周比を、クロック周波数に応じて変化させて、ほぼ一定の受信チャンネル選択用周波数信号を生成させるようにしても良い。
【００２９】
また、これらの復調回路以外の回路でも、クロック周波数の変動が好ましくない回路（例えばクロックをカウンタして得た時間で処理を行う回路）の場合には、ＰＬＬ回路などで補正されたクロックを供給するようにすれば良い。
【００３０】
また、上述実施例では無線電話装置の受信回路に適用したが、他の受信装置にも適用できることは勿論である。
【００３１】
【発明の効果】
本発明によると、ベースバンド信号などの復調信号を処理するクロックが、受信信号の復調に妨害を与えている場合には、クロックの周波数を若干変えて妨害を与えない周波数とする処理が行われて、同期信号を検出できるようになり、妨害波の影響なく良好に受信処理できるようになる。
【００３２】
この場合、このクロックから復調用周波数信号を作成している場合には、クロックの周波数を若干変えることで、この復調用周波数信号の周波数も変動するが、ＰＬＬ回路での分周比をクロックの周波数変化に連動して変化させることで、妨害波の影響を除去するためにクロックの周波数を変動させても、復調用周波数信号を一定の周波数に保つことができ、受信周波数などを正確に一定状態に保つことができる。
【図面の簡単な説明】
【図１】本発明の一実施例を示す構成図である。
【図２】一実施例の発振回路の構成例を示す構成図である。
【図３】一実施例の同期検出処理を示すフローチャートである。
【図４】無線電話装置の回路構成の一例を示す構成図である。
【符号の説明】
３２  混合器
３４  同期検出回路
３６  中央制御装置（ＣＰＵ）
３７  発振回路
３８  ＰＬＬ回路（フェーズ・ロックド・ループ回路）
【図１】
0003696636.tif 000002
【図２】
0003696636.tif 000003
【図３】
0003696636.tif 000004
【図４】
0003696636.tif 000005